(57)【要約】      （修正有）【課題】アンプ側の可変抵抗器による手動の調整を省き、温度調整の時間短縮を可能とするようにした温度検出装置の自動温度調整装置及び方法を提供する。【解決手段】感温抵抗２Ａ，３Ａからの抵抗値を電圧値として温度自動調整部５に取込むようにした温度検出装置１０において、アンプ６，７とコネクタ８との間に設けられたリレー２０，２１と、基板上に設けられると共にリレー２０，２１に接続された標準抵抗１１，１１ａと、を備え、リレー２０，２１の切換えにより感温抵抗２Ａ，３Ａ又は標準抵抗１１，１１ａの何れかをアンプ６，７に接続し、感温抵抗２Ａ，３Ａによってモータの温度を測定し、標準抵抗１１，１１ａの抵抗値に基づいて温度自動調整部５内のソフトウェアによりアンプ６，７が有する誤差分をパラメータとして保存し、リレーの切換えは前記ソフトウェアで行われる。【選択図】図１
2015203609.tif 000002
【特許請求の範囲】
【請求項１】
ドライバ(1)の基板(4)に設けられた温度自動調整部(5)と、前記温度自動調整部(5)に接続されＡ／Ｄ変換機能を有するアンプ(6,7)と、前記アンプ(6,7)に接続されたコネクタ(8)と、前記コネクタ(8)に接続されると共にモータ(2,3)内に設けられた感温抵抗(2A,3A)と、を備え、前記感温抵抗(2A,3A)からの抵抗値を電圧値として前記温度自動調整部(5)に取込むようにした温度検出装置において、
前記アンプ(6,7)とコネクタ(8)との間に設けられたリレー(20,21)と、前記基板(4)上に設けられると共に前記リレー(20,21)に接続された標準抵抗(11,11a)と、を備え、
前記標準抵抗(11,11a)は複数の異なる抵抗値を有し、前記リレー(20,21)の切換えにより前記感温抵抗(2A,3A)又は前記標準抵抗(11,11a)の何れかを前記アンプ(6,7)に接続し、前記感温抵抗(2A,3A)によって前記モータ(2,3)の温度を測定し、前記標準抵抗(11,11a)の抵抗値に基づいて前記温度自動調整部(5)内のソフトウェアにより前記アンプ(6,7)が有する誤差分をパラメータとして保存するようにし、前記リレー(20,21)の切換えは前記ソフトウェアで行われることを特徴とする温度検出装置の自動温度調整装置。
【請求項２】
前記アンプ(6,7)、リレー(20,21)及びモータ(2,3)は複数よりなり、前記各リレー(20,21)に前記標準抵抗(11,11a)が接続されていることを特徴とする請求項１記載の温度検出装置の自動温度調整装置。
【請求項３】
ドライバ(1)の基板(4)に設けられた温度自動調整部(5)と、前記温度自動調整部(5)に接続されＡ／Ｄ変換機能を有するアンプ(6,7)と、前記アンプ(6,7)に接続されたコネクタ(8)と、前記コネクタ(8)に接続されると共にモータ(2,3)内に設けられた感温抵抗(2A,3A)と、を備え、前記感温抵抗(2A,3A)からの抵抗値を電圧値として前記温度自動調整部(5)に取込むようにした温度検出装置において、
前記アンプ(6,7)とコネクタ(8)との間に設けられたリレー(20,21)と、前記基板(4)上に設けられると共に前記リレー(20,21)に接続された標準抵抗(11,11a)と、を備え、
前記標準抵抗(11,11a)は複数の異なる抵抗値を有し、前記リレー(20,21)の切換えにより前記感温抵抗(2A,3A)又は前記標準抵抗(11,11a)の何れかを前記アンプ(6,7)に接続し、前記感温抵抗(2A,3A)によって前記モータ(2,3)の温度を測定し、前記標準抵抗(11,11a)の抵抗値に基づいて前記温度自動調整部(5)内のソフトウェアにより前記アンプ(6,7)が有する誤差分をパラメータとして保存するようにし、前記リレー(20,21)の切換えは前記ソフトウェアで行われることを特徴とする温度検出装置の自動温度調整方法。
【請求項４】
前記アンプ(6,7)、リレー(20,21)及びモータ(2,3)は複数よりなり、前記各リレー(20,21)に前記標準抵抗(11,11a)が接続されていることを特徴とする請求項３記載の温度検出装置の自動温度調整方法。
【発明の詳細な説明】
【技術分野】
【０００１】
本発明は、温度検出装置の自動温度調整装置及び方法に関し、特に、リレーと、このリレーに接続された標準抵抗を用いることにより、従来、用いていたアンプ側の可変抵抗器による手動の調整を省き、温度調整の時間短縮を可能とするための新規な改良に関する。
【背景技術】
【０００２】
従来、用いられていたこの種の温度検出装置としては、例えば、特許文献１に開示されている構成を挙げることができるが、このような温度検出装置における代表的な構成としては、図２及び図３の構成を挙げることができる。
すなわち、図２において符号１で示されるものは、モータ２及びＩＰＭ型モータ３を駆動するためのドライバであり、前記ドライバ１の基板４には、例えば、周知のＤＳＰ等からなる温度自動調整部５と、前記温度自動調整部５に接続された一対のアンプ６,７と、前記各アンプ６,７に接続されると共に前記モータ２及びＩＰＭ型モータ３に接続されたコネクタ８と、が設けられている。
【０００３】
前述の図２の構成では、前記モータ２の白金温度センサからなる感温抵抗２Ａ及び前記ＩＰＭ型モータ３の感温抵抗３Ａから得られた各モータ２,３の内部温度、特に、駆動巻線の温度が前記コネクタ８及びアンプ６,７を介してＡ／Ｄ変換した後に前記温度自動調整部５のソフトウェアに取り込まれ、各モータ２,３の温度管理が行われる。
【０００４】
次に、図２の温度検出装置１０の各アンプ６,７の温度変化等によるゲイン等のバラツキを調整する場合には、図１のコネクタ８のオス型部８ａをメス型部８ｂから除去、すなわち、基板４から除去することにより、各感温抵抗２Ａ，３Ａが前記メス型部８ｂから切り離される。
次に、予め温度変化等によって抵抗値が変化しにくい高精度抵抗からなり、互いに３種の抵抗値からなる標準抵抗１１が接続された別のオス型部８ａをメス型部８ｂに接続し、各アンプ６,７と前記温度自動調整部５との間には、可変抵抗器１２,１３を有するオペアンプ１４,１５が設けられている。
前記標準抵抗１１は、３種の抵抗値を有するため、各抵抗値で検出した電圧値が予め設定された電圧値となるように、各オペアンプ１４,１５の各可変抵抗器１２,１３を可変させてゲイン調整を行っている。
【０００５】
前述の各オペアンプ１４,１５の各可変抵抗器１２,１３によるゲイン調整が完了すると、標準抵抗１１の抵抗値に対応した予め分かっている所定の電圧が温度自動調整部５に取り込まれるため、温度検出装置１０としては、その検出特性が正常な状態に保持される。
【先行技術文献】
【特許文献】
【０００６】
【特許文献１】特開２０１３−５０３５４号公報
【発明の概要】
【発明が解決しようとする課題】
【０００７】
従来の温度検出装置は、以上のように構成されていたため、次のような課題が存在していた。
すなわち、図３の従来構成の場合、アンプ側に接続された標準抵抗は基板の外に設けられているため、温度検出装置の特性が変化した場合には、コネクタと共に標準抵抗を除去すると共に分解して清掃した後に、元通りに基板にコネクタを接続していた。
その後、オペアンプの可変抵抗器を調整し、温度検出装置の検出特性が予め設定した基準となった状態で特性の調整作業が完了するが、この作業には、１台のドライバの本体の分解、コネクタの着脱、及び可変抵抗器の調整に約１回かかり、この作業の短縮化は緊急を要するものであった。
【０００８】
本発明は、以上のような課題を解決するためになされたもので、特に、リレーと、このリレーに接続された標準抵抗を用いることにより、従来、用いていたアンプ側の可変抵抗器による手動の調整を省き、温度調整の時間短縮を可能とするようにした温度検出装置の自動温度調整装置及び方法を提供することを目的とする。
【課題を解決するための手段】
【０００９】
本発明による温度検出装置の自動温度調整装置は、ドライバの基板に設けられた温度自動調整部と、前記温度自動調整部に接続されＡ／Ｄ変換機能を有するアンプと、前記アンプに接続されたコネクタと、前記コネクタに接続されると共にモータ内に設けられた感温抵抗と、を備え、前記感温抵抗からの抵抗値を電圧値として前記温度自動調整部に取込むようにした温度検出装置において、前記アンプとコネクタとの間に設けられたリレーと、前記基板上に設けられると共に前記リレーに接続された標準抵抗と、を備え、前記標準抵抗は複数の異なる抵抗値を有し、前記リレーの切換えにより前記感温抵抗又は前記標準抵抗の何れかを前記アンプに接続し、前記感温抵抗によって前記モータの温度を測定し、前記標準抵抗の抵抗値に基づいて前記温度自動調整部内のソフトウェアにより前記アンプが有する誤差分をパラメータとして保存するようにし、前記リレーの切換えは前記ソフトウェアで行われる構成であり、また、前記アンプ、リレー及びモータは複数よりなり、前記各リレーに前記標準抵抗が接続されている構成であり、また、本発明による温度検出装置の自動温度調整方法は、ドライバの基板に設けられた温度自動調整部と、前記温度自動調整部に接続されＡ／Ｄ変換機能を有するアンプと、前記アンプに接続されたコネクタと、前記コネクタに接続されると共にモータ内に設けられた感温抵抗と、を備え、前記感温抵抗からの抵抗値を電圧値として前記温度自動調整部に取込むようにした温度検出装置において、前記アンプとコネクタとの間に設けられたリレーと、前記基板上に設けられると共に前記リレーに接続された標準抵抗と、を備え、前記標準抵抗は複数の異なる抵抗値を有し、前記リレーの切換えにより前記感温抵抗又は前記標準抵抗の何れかを前記アンプに接続し、前記感温抵抗によって前記モータの温度を測定し、前記標準抵抗の抵抗値に基づいて前記温度自動調整部内のソフトウェアにより前記アンプが有する誤差分をパラメータとして保存するようにし、前記リレーの切換えは前記ソフトウェアで行われる方法であり、また、前記アンプ、リレー及びモータは複数よりなり、前記各リレーに前記標準抵抗が接続されている方法である。
【発明の効果】
【００１０】
また、本発明による温度検出装置の自動温度調整装置及び方法は、以上のように構成されているため、次のような効果を得ることができる。
すなわち、ドライバの基板に設けられた温度自動調整部と、前記温度自動調整部に接続されＡ／Ｄ変換機能を有するアンプと、前記アンプに接続されたコネクタと、前記コネクタに接続されると共にモータ内に設けられた感温抵抗と、を備え、前記感温抵抗からの抵抗値を電圧値として前記温度自動調整部に取込むようにした温度検出装置及び方法において、前記アンプとコネクタとの間に設けられたリレーと、前記基板上に設けられると共に前記リレーに接続された標準抵抗と、を備え、前記標準抵抗は複数の異なる抵抗値を有し、前記リレーの切換えにより前記感温抵抗又は前記標準抵抗の何れかを前記アンプに接続し、前記感温抵抗によって前記モータの温度を測定し、前記標準抵抗の抵抗値に基づいて前記温度自動調整部内のソフトウェアにより前記アンプが有する誤差分をパラメータとして保存するようにし、前記リレーの切換えは前記ソフトウェアで行われることにより、温度検出装置の温度検出を正確にするための調整を自動化し、時間短縮となる。
前記アンプ、リレー及びモータは複数よりなり、前記各リレーに前記標準抵抗が接続されていることにより、各アンプの数の分に応じて自動的に調整を行うことができ、従来の手作業に比べれば人手を必要としない自動作業となり、温度検出装置の信頼性を向上することができる。
【図面の簡単な説明】
【００１１】
【図１】本発明による温度検出装置の自動温度調整装置を示す構成図である。
【図２】従来装置の構成図である。
【図３】図２の温度調整時の状態を示す構成図である。
【発明を実施するための形態】
【００１２】
本発明は、リレーと、このリレーに接続された標準抵抗を用いることにより、従来、用いていたアンプ側の可変抵抗による手動の調整を省き、温度調整の時間短縮を可能とすることである。
【実施例】
【００１３】
以下、図面と共に本発明による温度検出装置の自動温度調整装置及び方法の好適な実施の形態について説明する。
尚、従来例と同一又は同等部分には、同一符号を付して説明する。
図１において、符号１で示されるものは、モータ２及びＩＰＭ型モータ３を駆動するためのドライバであり、前記ドライバ１の基板４には、例えば、周知のＤＳＰ等からなる温度自動調整部５と、前記各アンプ６,７に各々接続されたリレー２０,２１と、前記各リレー２０,２１に接続された３種の高精度抵抗（例えば、温度ドリフトの少ない高価格の抵抗）からなる標準抵抗１１,１１ａと、前記各リレー２０,２１に接続されたコネクタ８と、が設けられている。
【００１４】
前記アンプ６,７側には、一対の入力端子６ａ，６ｂ及び７ａ，７ｂが設けられ、前記コネクタ８側には、前記各端子６ａ，６ｂ及び７ａ，７ｂに対応すると共に前記各感温抵抗２Ａ，３Ａに接続された出力端子２０ａ，２０ｂ及び２１ａ，２１ｂが設けられている。
さらに、前記各出力端子２０ａ，２０ｂ側には、前記標準抵抗１１に接続された接続端子２０ｃ，２０ｄが設けられ、前記各出力端子２１ａ，２１ｂ側には、前記標準抵抗１１ａに接続された接続端子２１ｃ，２１ｄが設けられている。
【００１５】
前記入力端子６ａ，６ｂに設けられた切換子６Ａ，６Ｂは前記各端子２０ａ〜２０ｄに対して実線及び点線で示されるように選択的に切換えできるように構成され、前記入力端子７ａ，７ｂに設けられた切換子７Ａ，７Ｂは前記各端子２１ａ〜２１ｄに対して実線及び点線で示されるように選択的に切換えできるように構成されている。
尚、前記各リレー２０,２１の各切換子６Ａ，６Ｂと７Ａ，７Ｂは、前記温度自動調整部５のソフトウェアによって自動的に作動するように構成され、実際には、前記基板４上に設けられた電子スイッチからなる論理回路にて形成されている。
また、前記各リレー２０,２１の切換動作は、前記温度自動調整部５のソフトウェアにより行なわれるが、例えば、一定時間毎に自動的に行うように設定することもでき、あるいは、温度自動調整部５に対して図示しない押ボタン等を介して任意に行うように構成することもできる。
【００１６】
次に、前述の構成において、温度検出を行う場合について説明する。
まず、各リレー２０,２１の各切換子６Ａ，６Ｂを点線で示すように切換えると、各モータ２,３の各感温抵抗２Ａ，３Ａで検出された抵抗値に相当する電圧値が各リレー２０，２１及びＡ／Ｄ変換機器を有するアンプ６,７を介して温度自動調整部５に取り込まれて温度検出が行われる。
【００１７】
次に、前述の温度検出時に、前記ソフトウェアによって各リレー２０,２１を点線の状態から実線の状態に自動的に切換わると、各標準抵抗１１,１１ａの抵抗値が各アンプ６,７でＡ／Ｄ変換されて前記ソフトウェアに取込まれ、図３の可変抵抗器１２,１３で行なわれていた調整（ゲイン等の誤差修正）に該当するパラメータを計算し、パラメータとして保存することにより、従来の手動作業を省略し、温度調整の時間を従来よりも短縮できる。
従って、前述のパラメータは、各感温抵抗２Ａ，３Ａを用いて温度検出する際の各アンプ６,７のゲインのバラツキを修正し、正しい温度検出ができるように調整できるものである。
尚、前述のように、従来構成においては１個のドライバの温度調整に１回位かかっていたが、自動化されることにより、約１０分で調整完了とすることができる。
【００１８】
前述の本発明の要旨とするところは、次の通りである。
すなわち、ドライバ１の基板４に設けられた温度自動調整部５と、前記温度自動調整部５に接続されＡ／Ｄ変換機能を有するアンプ６,７と、前記アンプ６,７に接続されたコネクタ８と、前記コネクタ８に接続されると共にモータ２,３内に設けられた感温抵抗２Ａ,３Ａと、を備え、前記感温抵抗２Ａ,３Ａからの抵抗値を電圧値として前記温度自動調整部５に取込むようにした温度検出装置において、前記アンプ６,７とコネクタ８との間に設けられたリレー２０，２１と、前記基板４上に設けられると共に前記リレー２０，２１に接続された標準抵抗１１，１１ａと、を備え、前記標準抵抗１１，１１ａは複数の異なる抵抗値を有し、前記リレー２０,２１の切換えにより前記感温抵抗２Ａ,３Ａ又は前記標準抵抗１１，１１ａの何れかを前記アンプ６,７に接続し、前記感温抵抗２Ａ,３Ａによって前記モータ２,３の温度を測定し、前記標準抵抗１１，１１ａの抵抗値に基づいて前記温度自動調整部５内のソフトウェアにより前記アンプ６,７が有する誤差分をパラメータとして保存するようにし、前記リレー２０,２１の切換えは前記ソフトウェアで行われることを特徴とする温度検出装置の自動温度調整装置及び方法であり、また、前記アンプ６,７、リレー２０,２１及びモータ２,３は複数よりなり、前記各リレー２０,２１に前記標準抵抗１１，１１ａが接続されていることを特徴とする温度検出装置の自動温度調整装置及び方法である。
【産業上の利用可能性】
【００１９】
本発明による温度検出装置の自動温度調整装置及び方法は、従来構成に対してリレーとソフトウェアを追加するのみで、従来用いていた可変抵抗器による調整作業をなくし、温度調整の時間短縮が可能となり、自動車に限らず、全ての分野のモータに適用することができる。
【符号の説明】
【００２０】
１    ドライバ
２，３    モータ
２Ａ，３Ａ    感温抵抗
４    基板
５    温度自動調整部
６，７    アンプ
８    コネクタ
１０    温度検出装置
１１,１１ａ    標準抵抗
２０,２１    リレー
【図１】
2015203609.tif 000003
【図２】
2015203609.tif 000004
【図３】
2015203609.tif 000005